(57)【要約】【課題】本体ゴム弾性体の剪断方向と圧縮方向の両方向の弾性変形に基づく十分な防振効果が低コストに確保され得る防振装置を提供する。【解決手段】内筒部材１０と外筒部材１２とを、テーパ筒状の本体ゴム弾性体１４にて相互に連結した。そして、本体ゴム弾性体１４の小径側端部の側に位置する、内筒部材１０の軸方向一端部に対して一体的に組み付けられた剛性部材４２に、内筒部材１０の径方向外方に広がる当接面４８を形成し、更に、本体ゴム弾性体１４の小径側端面３０が当接面４８にて軸方向に押圧されたときに、本体ゴム弾性体１４の小径側端部の径方向外方への膨出を規制する規制手段３２を設けて構成した。【選択図】図１
2012207761.tif 000002
【特許請求の範囲】
【請求項１】
内筒部材と、該内筒部材の周りに径方向外方に離間して配置された外筒部材との間に、該内筒部材に対して外挿状態で介装されたテーパ筒状の本体ゴム弾性体の小径側端部の内周面を該内筒部材に固着すると共に、該本体ゴム弾性体の大径側端部の外周面を該外筒部材に固着することにより、該内筒部材と該外筒部材とを該本体ゴム弾性体にて相互に連結する一方、該内筒部材の軸方向両端部のうち、該本体ゴム弾性体の小径側端部の側に位置する軸方向一端部に対して、剛性部材を、該本体ゴム弾性体とは非接着で、該内筒部材と一体移動可能に組み付けてなる防振装置において、
前記内筒部材の径方向外方に広がる当接面が、前記剛性部材に形成されて、該当接面に対して、前記本体ゴム弾性体の小径側の端面が当接せしめられていると共に、軸方向の振動入力による該内筒部材と前記外筒部材の軸方向での相対移動により、該本体ゴム弾性体の小径側端面が該剛性部材の該当接面にて軸方向に押圧されたときに、該本体ゴム弾性体の小径側端部の径方向外方への膨出を規制する規制手段が設けられていることを特徴とする防振装置。
【請求項２】
前記剛性部材の前記内筒部材に対する組付により、該剛性部材の前記当接面にて押圧されて軸方向に予備圧縮される環状のゴム突条が、前記本体ゴム弾性体の小径側端面に一体形成されて、前記規制手段が、該ゴム突条にて構成されている請求項１に記載の防振装置。
【請求項３】
前記本体ゴム弾性体の小径側端部の周りを取り囲む筒状突起が、前記剛性部材の前記当接面に形成されて、前記規制手段が、該筒状突起にて構成されている請求項１又は請求項２に記載の防振装置。
【請求項４】
前記本体ゴム弾性体の小径側端部の内周面の端縁部に対して、周方向に連続して延びる段差部が設けられて、該本体ゴム弾性体の小径側端部の内周面と内筒部材との外周面との間に環状の隙間が形成されている請求項１乃至請求項３のうちの何れか１項に記載の防振装置。
【発明の詳細な説明】
【技術分野】
【０００１】
本発明は、防振装置に係り、特に、内筒部材と外筒部材とがテーパ筒状の本体ゴム弾性体にて相互に連結されて構成されて、かかる本体ゴム弾性体の弾性変形に基づいて防振効果を得るようにした防振装置に関するものである。
【背景技術】
【０００２】
従来から、振動伝達系を構成する部材間に介装される防振連結体乃至は防振支持体の一種として、内筒部材と、この内筒部材の周りに径方向外方に離間して配置された外筒部材との間に、テーパ筒状の本体ゴム弾性体を、内筒部材に対する外挿状態で介装して、かかる本体ゴム弾性体の小径側端部の内周面を内筒部材に固着する一方、本体ゴム弾性体の大径側端部の外周面を外筒部材に固着することにより、内筒部材と外筒部材とを本体ゴム弾性体にて相互に連結してなるものが、知られている。このような防振連結体乃至は防振支持体は、一般に、内筒部材の軸方向両端部のうち、本体ゴム弾性体の小径側端部の側に位置する軸方向一端部に対して、本体ゴム弾性体よりも高い剛性を有する剛性部材が、本体ゴム弾性体とは非接着で、内筒部材と一体移動可能に組み付けられた防振装置として構成されて、例えば、自動車等の車両のエンジンマウント等に適用されている。
【０００３】
なお、かかる防振装置において、内筒部材の軸方向一端部に組み付けられる剛性部材は、例えば、金属製のエンジン側ブラケットやストッパ金具にて構成される。剛性部材がエンジン側ブラケットにて構成される場合には、このエンジン側ブラケットを介して、内筒部材がエンジンに取り付けられる一方、外筒部材が車体に取り付けられて、防振装置が自動車等に装着されることとなる。また、剛性部材がストッパ金具にて構成される場合には、ストッパゴム部が、ストッパ金具と軸方向に離間して位置するように、本体ゴム弾性体に一体形成され、軸方向の振動荷重の入力時に、ストッパゴム部がストッパ金具に当接することにより、本体ゴム弾性体の過大変形が防止されるようになる。
【０００４】
そして、上記の如き構造とされた従来の防振装置にあっては、例えば、特許第４２９９２９８号公報等において明らかにされるように、テーパ筒状の本体ゴム弾性体の小径側端部の内周面が固着される内筒部材の軸方向一端側部分の外周面が、本体ゴム弾性体のテーパ筒形状とは逆のテーパ形状とされている。これにより、軸方向に振動荷重が入力された際に、本体ゴム弾性体が、剪断方向において弾性変形するだけでなく、内筒部材のテーパ状の外周面部分にて軸方向に押圧されて、圧縮方向において弾性変形する。そうして、内外筒部材の間に入力される軸方向の振動荷重が、本体ゴム弾性体の剪断方向と圧縮方向の両方向の弾性変形に基づいて有利に吸収され得るようになっているのである。
【０００５】
ところが、従来の防振装置では、内筒部材が、一般に、アルミニウム等の金属材料を用いて形成されている。それ故、そのような従来の防振装置においては、金属製の内筒部材を、軸方向一端部の外周面がテーパ形状とされた異形形状において形成するために、内筒部材の製造コストが嵩み、それが防振装置全体の製造コストを圧迫するといった問題が内在していたのである。
【先行技術文献】
【特許文献】
【０００６】
【特許文献１】特許第４２９９２９８号公報
【発明の概要】
【発明が解決しようとする課題】
【０００７】
ここにおいて、本発明は、上記した事情を背景にして為されたものであって、その解決課題とするところは、内外筒部材がテーパ筒状の本体ゴム弾性体にて相互に連結されると共に、本体ゴム弾性体の小径側端部の側に位置する内筒部材の軸方向一端部に対して、剛性部材が一体的に組み付けられてなる防振装置において、本体ゴム弾性体の剪断方向と圧縮方向の両方向の弾性変形に基づく十分な防振効果が低コストに確保され得るように改良された構造を提供することにある。
【課題を解決するための手段】
【０００８】
本発明は、上記した課題、又は本明細書全体の記載や図面から把握される課題を解決するために、以下に列挙する各種の態様において、好適に実施され得るものである。また、以下に記載の各態様は、任意の組み合わせにおいても、採用可能である。なお、本発明の態様乃至は技術的特徴は、以下に記載のものに何等限定されることなく、明細書全体の記載並びに図面に開示の発明思想に基づいて、認識され得るものであることが、理解されるべきである。
【０００９】
本発明は、上記した課題の解決のために、内筒部材と、該内筒部材の周りに径方向外方に離間して配置された外筒部材との間に、該内筒部材に対して外挿状態で介装されたテーパ筒状の本体ゴム弾性体の小径側端部の内周面を該内筒部材に固着すると共に、該本体ゴム弾性体の大径側端部の外周面を該外筒部材に固着することにより、該内筒部材と該外筒部材とを該本体ゴム弾性体にて相互に連結する一方、該内筒部材の軸方向両端部のうち、該本体ゴム弾性体の小径側端部の側に位置する軸方向一端部に対して、剛性部材を、該本体ゴム弾性体とは非接着で、該内筒部材と一体移動可能に組み付けてなる防振装置において、前記内筒部材の径方向外方に広がる当接面が、前記剛性部材に形成されて、該当接面に対して、前記本体ゴム弾性体の小径側の端面が当接せしめられていると共に、軸方向の振動入力による該内筒部材と前記外筒部材の軸方向での相対移動により、該本体ゴム弾性体の小径側端面が該剛性部材の該当接面にて軸方向に押圧されたときに、該本体ゴム弾性体の小径側端部の径方向外方への膨出を規制する規制手段が設けられていることを特徴とする防振装置を、その要旨とするものである。
【００１０】
なお、本発明の好ましい態様の一つによれば、前記剛性部材の前記内筒部材に対する組付により、該剛性部材の前記当接面にて押圧されて軸方向に予備圧縮される環状のゴム突条が、前記本体ゴム弾性体の小径側端面に一体形成されて、前記規制手段が、該ゴム突条にて構成される。
【００１１】
また、本発明の有利な態様の一つによれば、前記本体ゴム弾性体の小径側端部の周りを取り囲む筒状突起が、前記剛性部材の前記当接面に形成されて、前記規制手段が、該筒状突起にて構成される。
【００１２】
さらに、本発明の望ましい態様の一つによれば、前記本体ゴム弾性体の小径側端部の内周面の端縁部に対して、周方向に連続して延びる段差部が設けられて、該本体ゴム弾性体の小径側端部の内周面と内筒部材との外周面との間に環状の隙間が形成される。
【発明の効果】
【００１３】
すなわち、本発明に従う防振装置にあっては、軸方向に振動荷重が入力された際に、本体ゴム弾性体が、内筒部材と外筒部材との軸方向の相対移動により、剪断方向に弾性変形する。また、剛性部材の当接面にて軸方向に押圧されることで、圧縮方向へも確実に弾性変形する。それ故、従来装置とは異なって、内筒部材を、軸方向一端部の外周面がテーパ筒形状とされた異形形状とすることなく、単純な円筒形状としても、軸方向の振動入力時に、本体ゴム弾性体が、剪断方向と圧縮方向の両方向において確実に弾性変形するようになる。そして、そのような単純な円筒形状を呈する内筒部材の採用が可能となるため、内筒部材の製作コストの低下と製作工程の簡略化が、効果的に図られ得る。
【００１４】
しかも、軸方向に振動荷重が入力されて、本体ゴム弾性体が剛性部材の当接面にて軸方向に押圧された際に、本体ゴム弾性体の小径側端部の径方向外方への膨出が、規制手段によって規制される。そのため、軸方向の振動入力時において本体ゴム弾性体に作用する圧縮荷重が、小径側端部の膨出によって径方向外方に分散することが有利に回避され、以て、軸方向の振動入力時における本体ゴム弾性体の圧縮変形量が、十分に確保され得る。
【００１５】
従って、本発明に従う防振装置にあっては、本体ゴム弾性体の剪断方向と圧縮方向の両方向の弾性変形に基づく十分な防振効果が、より低コストに且つ確実に確保され得、以て、優れた防振性能が、極めて有効に発揮され得る。また、内筒部材の製作工程の簡略化により、防振装置全体の製作性の向上が、効果的に図られ得ることとなるのである。
【図面の簡単な説明】
【００１６】
【図１】本発明に従う防振装置の一実施形態を示す縦断面説明図である。
【図２】本発明に従う防振装置の別の実施形態を示す図１に対応する図である。
【図３】本発明に従う防振装置の更に別の実施形態を示す図１に対応する図である。
【発明を実施するための形態】
【００１７】
以下、本発明を更に具体的に明らかにするために、本発明の実施の形態について、図面を参照しつつ、詳細に説明する。
【００１８】
先ず、図１には、本発明に従う構造を有する防振装置の一実施形態としての自動車のエンジンマウントが、その縦断面形態において示されている。かかる図１から明らかなように、本実施形態のエンジンマウントは、内筒部材としての内筒金具１０と、外筒部材としての外筒金具１２とを有している。これら内筒金具１０と外筒金具１２は、互いに径方向に所定距離を隔てて、同軸的に配置されており、それらの間に介装された本体ゴム弾性体１４にて、互いに弾性的に連結されている。
【００１９】
そして、かかる本実施形態のエンジンマウントは、内筒金具１０が自動車のエンジンに取り付けられる一方、外筒金具１２が自動車のボデーに取り付けられることにより、エンジンをボデーに対して防振支持させるようになっている。また、そのような自動車への装着状態下において、防振すべき主たる振動が、内筒金具１０と外筒金具１２の軸方向（図１中の上下方向）に入力されるようになっている。なお、以下の説明中、上下方向とは、原則として、内筒金具１０と外筒金具１２の軸方向となる、図１、及び後述する図２、図３中の上下方向を言う。
【００２０】
より詳細には、内筒金具１０は、全体として、所定の軸方向長さを有する厚肉の円筒形状を呈している。これにより、内筒金具１０の外周面の全体が、一定の径を有してストレートに延びる円筒面とされている。
【００２１】
外筒金具１２は、全体として、内筒金具１０よりも薄肉の円筒形状を呈し、内筒金具１０の軸方向長さと略同程度の軸方向長さと、内筒金具１０の外径よりも十分に大きな内径とを有している。そして、この外筒金具１２の上側部分が、上方に向かって次第に大径化するテーパ筒部１６とされている一方、その下側部分が、円筒部２０とされている。また、テーパ筒部１６の上側開口部（大径側開口部）の周縁部には、径方向外方に所定高さ突出し、且つ周方向に連続して延びる外フランジ部１８が、一体的に周設されている。
【００２２】
そして、内筒金具１０が、上側略半分の部分に相当する上端側部分２２を外筒金具１２の上側開口部（テーパ筒部１６の大径側開口部）から上方に突出させる一方、外筒金具１２が、円筒部２０を内筒金具１０の下端面よりも下方に突出させた状態、つまり、内筒金具１０の軸方向の中心部を、外筒金具１２の軸方向の中心部よりも上方に偏倚させた状態で、それら内筒金具１０と外筒金具１２とが、互いに同軸的に配置されている。
【００２３】
一方、本体ゴム弾性体１４は、全体として、上方に向かって次第に小径化するテーパ筒形状を呈している。即ち、外筒金具１２のテーパ筒部１６とは逆のテーパ筒形状とされている。また、本体ゴム弾性体１４の大径側端部となる下端部には、比較的に厚肉の円筒状突出部２４が、下方に向かって延びるように一体形成されている。この円筒状突出部２４は、外筒金具１２の円筒部２０の軸方向長さよりも所定寸法だけ長い長さと、かかる円筒部２０の内径と同一の外径と、内筒金具１０の外径よりも大きな内径とを有している。
【００２４】
そして、このような本体ゴム弾性体１４の小径側端部の内周面に対して、外筒金具１２の上側開口部から突出する内筒金具１０の上端側部分２２が、その外周面において加硫接着されている一方、本体ゴム弾性体１４の大径側端部の外周面に対して、外筒金具１２のテーパ筒部１６が、その内周面において加硫接着されている。また、本体ゴム弾性体１４の円筒状突出部２４の外周面に対して、外筒金具１２の円筒部２０が、その内周面において加硫接着されている。更に、本体ゴム弾性体１４の円筒状突出部２４の下端部が、外筒金具１２の円筒部２０の下端から下方に突出しており、この突出部分が、ストッパゴム部２８とされている。
【００２５】
かくして、ここでは、本体ゴム弾性体１４が、その内外周面に、内筒金具１０と外筒金具１２とがそれぞれ加硫接着されてなる一体加硫成形品２６として構成されている。また、そのような一体加硫成形品２６を含んで、本実施形態のエンジンマウントが構成されているのである。
【００２６】
そして、そのような本実施形態のエンジンマウントにおいては、特に、本体ゴム弾性体１４の上端面となる小径側端面３０が、平坦な円環面とされている。また、かかる小径側端面３０の幅：Ｗ（小径側端面の内径と外径との差）が、従来のエンジンマウントにおける本体ゴム弾性体の小径側端面の幅よりも、十分に大きくされている。具体的には、本実施形態のエンジンマウントでは、内筒金具１０の上端側部分２２の外周面が円筒面とされているため、内筒金具１０の上端側部分２２の外周面が上方に向かって大径化するテーパ面とされた従来のエンジンマウントに比して、少なくとも、上端側部分２２の内径が小さくされている分だけ、小径側端面３０の幅：Ｗが大なる大きさとされている。
【００２７】
そして、そのような小径側端面３０には、その外周部に対して、ゴム突条３２が一体形成されている。このゴム突条３２は、図１に二点鎖線で示されるように、全体として、厚肉の円筒形状乃至は円環形状を呈しており、その上端側部分が、内筒金具１０の上端面よりも上方に所定高さだけ突出している。
【００２８】
また、本体ゴム弾性体１４の小径側端部の内周面の端縁部には、かかる端縁部の内径を、端縁部以外の内周面部分の径よりも大径とする段差部３４が、周方向に連続して延びるように形成されている。これによって、本体ゴム弾性体１４の小径側端部の内周面と、内筒金具１０の上端側部分２２における上側端縁の外周面との間に、環状の隙間３６が形成されている。
【００２９】
すなわち、本体ゴム弾性体１４の小径側端部には、その外周部に、内筒金具１０の上端面よりも上方に突出する円筒状乃至は円環状のゴム突条３２が一体的に周設されており、また、その内周部には、ゴム突条３２の内側において、その周方向に延びる環状の隙間３６が、ゴム突条３２の内周面を、内筒金具１０の上端側部分２２の外周面に対して、内筒金具１０の径方向において所定距離を隔てて対向配置させるように形成されているのである。
【００３０】
そして、上記の如き構造を有する一体加硫成形品２６には、エンジン側ブラケット３８とストッパ金具４０とが、それぞれ組み付けられている。
【００３１】
エンジン側ブラケット３８は、金属材料（例えば、アルミニウム等）等を用いて形成された剛性部材からなり、取付部４２とアーム部４４とを一体的に有している。取付部４２は、略厚肉の円筒形状を呈し、その内径が、内筒金具１０の内径と略同一の大きさとされており、また、外径が、本体ゴム弾性体１４の小径側端部の外径と略同一の大きさとされている。そして、その内孔が、内周面に雌ネジが形成された雌ネジ孔４６とされている。
【００３２】
アーム部４４は、取付部４２の外周面の周上の一箇所から軸直角方向に所定長さで延び出すロッド状部材にて構成され、図示されてはいないものの、先端部において、エンジンに対して、例えばボルト固定等により取り付けられるようになっている。
【００３３】
そして、このようなエンジン側ブラケット３８においては、特に、取付部４２の下端面が、当接面４８とされている。この当接面４８は、内筒金具１０の軸直角方向に広がる平坦な円環面からなり、取付部４２の内外径と対応して、内径が、内筒金具１０の内径と略同一の大きさとされている一方、外径が、本体ゴム弾性体の小径側端部の外径と略同一の大きさとされている。
【００３４】
一方、ストッパ金具４０は、上側底部を有して下方に向かって開口する、比較的に薄肉で有底の円筒金具にて構成されている。そして、この円筒金具からなるストッパ金具４０は、内筒金具１０の外径よりも大きく、且つ本体ゴム弾性体１４の円筒状突出部２４よりも小さな径を有し、また、その軸方向長さが、円筒状突出部２４の軸方向長さよりも所定寸法大きくされている。更に、上側底部の中心部には、内筒金具１０の内径と略同一内径を円形の貫通孔５０が設けられている。また、下側開口部の周縁部には、径方向外方に突出し、且つ周方向に連続して延びる円環板状の外フランジ部５２が、一体形成されている。この円環板状の外フランジ部５２は、その外径が、外筒金具１２の外径と略同一の大きさとされている。
【００３５】
そして、そのようなストッパ金具４０の上側底部の上面が、内筒金具１０の下端面に重ね合わされる一方、エンジン側ブラケット３８の取付部４２の当接面４８が、内筒金具１０の上端面に重ね合わされて、それらストッパ金具４０とエンジン側ブラケット３８とが、内筒金具１０を、その軸方向において間に挟んで配置されている。また、かかる配置状態下において、取付ボルト５４が、ストッパ金具４０の貫通孔５０と内筒金具１０の内孔に下側から挿通されて、エンジン側ブラケット３８の取付部４２の雌ネジ孔４６に螺入されている。これによって、ストッパ金具４０が、内筒金具１０の下端部に対して、内筒金具１０と一体移動可能に組み付けられている一方、エンジン側ブラケット３８（取付部４２）が、内筒金具１０の上端部に対して、内筒金具１０と一体移動可能に組み付けられている。かくして、本実施形態のエンジンマウントが、一体加硫成形品２６に対してエンジン側ブラケット３８とストッパ金具４０とが一体的に組み付けられてなる一体組付品として構成されているのである。
【００３６】
なお、ここでは、内筒金具１０の下端部へのストッパ金具４０の組付状態下において、ストッパ金具４０の外フランジ部５２が、本体ゴム弾性体１４の円筒状突出部２４の下端に一体形成されたストッパゴム部２８の下方に、ストッパゴム部２８と所定距離を隔てて対向配置されている。これにより、後述するようにして自動車に装着されたエンジンマウントに対して、本体ゴム弾性体１４を大きく引張変形させるような振動荷重が入力された際に、ストッパ金具４０の外フランジ部５２がストッパゴム部２８に当接して、本体ゴム弾性体１４の過大な引張変形が阻止されるようになっている。そうして、本体ゴム弾性体１４の耐久性の向上が図られている。
【００３７】
また、前記したように、本実施形態では、本体ゴム弾性体１４の小径側端面３０に一体的に突設されたゴム突条３２の上端部が、内筒金具１０の上端面よりも上方に突出している。そのため、エンジン側ブラケット３８を内筒金具１０の上端部に組み付ける際には、エンジン側ブラケット３８の取付部４２の当接面４８の外周部が、本体ゴム弾性体１４のゴム突条３２の上端面に当接して、その内周部が、内筒金具１０の上端面に対して離間させられた状態から、当接面４８の内周部が、内筒金具１０の上端面に当接した状態となるまで、取付ボルト５４を締め付ける操作が行われる。このとき、ゴム突条３２が、内筒金具１０の上端面よりも上方に突出した高さに相当する寸法だけ、当接面４８により下方に押圧される。そして、下方に押圧されたゴム突条３２は、それの内側に形成された環状の隙間３６を埋めるようにして、径方向に膨らむ。これによって、本実施形態のエンジンマウントでは、内筒金具１０の上端部へのエンジン側ブラケット３８の組付状態下において、実質的に、ゴム突条３２だけが、軸方向に予備圧縮されているのである。
【００３８】
そして、かかるエンジンマウントは、外筒金具１２の円筒部２０が、ボデー側ブラケット５６の円筒状取付部５８（図１に二点鎖線で示す）に対して、圧入等により取り付けられる一方、エンジン側ブラケット３８のアーム部４４が図示しないエンジンに対して、ボルト固定等により取り付けられて、自動車に装着されるようになっている。
【００３９】
かくして、本実施形態のエンジンマウントにおいては、エンジンとボデーとの間に上下方向の振動荷重が入力された際に、内筒金具１０と外筒金具１２とが、上下方向に相対移動させられるようになっている。そして、そのような内外筒金具１０，１２の上下方向の相対移動に伴って、本体ゴム弾性体１４が、剪断方向に弾性変形させられるようになっている。また、特に、そのような相対移動のうち、内筒金具１０が、外筒金具１２に対して、下側に向かって相対移動させられた際には、本体ゴム弾性体１４の小径側端面３０を含む小径側端部が、エンジン側ブラケット３８の取付部４２の当接面４８にて下方に押圧されて、本体ゴム弾性体１４が圧縮方向に弾性変形させられるようになっている。そうして、そのような剪断方向と圧縮方向の両方向の弾性変形に基づいて、上下方向の振動荷重が、有効に吸収されるようになっているのである。
【００４０】
そして、本実施形態のエンジンマウントでは、特に、本体ゴム弾性体１４の小径側端面３０に一体的に突設されたゴム突条３２が予備圧縮されている。このため、エンジンとボデーとの間、即ち、内筒金具１０と外筒金具１２との間に、上下方向の振動荷重が入力されて、エンジン側ブラケット３８が、内筒金具１０と共に、外筒金具１２に対して下方に相対移動して、本体ゴム弾性体１４の小径側端部が、エンジン側ブラケット３８の取付部４２の当接面４８にて下方に押圧された際には、かかる当接面４８と当接するゴム突条３２が、径方向外方に膨出するように、弾性的に圧縮変形することが有利に防止される。これによって、当接面４８からの圧縮荷重が、本体ゴム弾性体１４に対して、ロス無く、極めて確実に及ぼされるようになる。このことから明らかなように、本実施形態では、ゴム突条３２にて規制手段が構成されている。
【００４１】
また、かかるエンジンマウントにおいては、予備圧縮されたゴム突条３２から、エンジン側ブラケット３８の取付部４２の当接面４８に対して、復元力に基づく反力が加えられて、それらゴム突条３２と当接面４８との間に、より大きな摩擦抵抗が発生している。そのため、上下方向の入力振動により、本体ゴム弾性体１４の小径側端部がエンジン側ブラケット３８の取付部４２の当接面４８にて下方に押圧された際には、ゴム突条３２が、その先端面（当接面４８に対する接触面）を当接面４８に対して摺動させながら、径方向外方に膨出するするようなことも効果的に防止される。これによっても、当接面４８からの圧縮荷重が、本体ゴム弾性体１４に対して、ロス無く、極めて確実に及ぼされるようになる。
【００４２】
このように、本実施形態のエンジンマウントでは、内筒金具の上端側部分の外周面がテーパ面とされた従来のエンジンマウントとは異なって、内筒金具１０の外周面の全体が円筒面とされているにも拘わらず、上下方向の振動が入力された際に、本体ゴム弾性体１４が、剪断方向は勿論、圧縮方向にも確実に弾性変形させられるようになっている。それ故、単純な円筒形状を呈する内筒金具１０の採用により、内筒金具１０の製作コストの低減と製作工程の簡略化を十分に図りつつ、本体ゴム弾性体１４において、剪断変形に基づくばね特性と、圧縮変形に基づくばね特性の両方が、極めて安定的に且つ効果的に発揮され得る。
【００４３】
従って、かくの如き本実施形態のエンジンマウントによれば、本体ゴム弾性体１４の剪断方向と圧縮方向の両方向の弾性変形による高度な振動吸収作用に基づく優れた防振性能が、より低コストに確保され得る。しかも、内筒金具１０の製作工程の簡略化により、エンジンマウント全体の製作性の向上も、極めて効果的に図られ得ることとなるのである。
【００４４】
また、本実施形態のエンジンマウントにおいては、本体ゴム弾性体１４のゴム突条３２が、エンジン側ブラケット３８の取付部４２の当接面４８にて下方に押圧されて、予備圧縮されている。そのため、上下方向の振動が入力されて、内筒金具１０と取付部４２が、外筒金具１２に対して上方に相対移動した際、つまり、本体ゴム弾性体１４に対して引張方向の作用力が加えられた際に、ゴム突条３２の予備圧縮量が小さくされることで、本体ゴム弾性体１４の引張変形量が有利に軽減される。その結果、上下方向の入力振動に対して、本体ゴム弾性体１４において、より安定的なばね特性が発揮され、以て、更に一層優れた防振特性が発揮され得るのである。
【００４５】
次に、図２には、本発明に従う防振装置の別の実施形態としてのエンジンマウントが示されている。本実施形態のエンジンマウントは、本体ゴム弾性体の小径側端部以外の構造が、前記第一の実施形態に係るエンジンマウントと同様な構造とされている。従って、この本実施形態のエンジンマウントについては、前記第一の実施形態のエンジンマウントと同様な構造とされた部材及び部位について、図１と同様な符号を図２に付すことにより、それらの詳細の説明を省略する。なお、後述する図３に示される別の実施形態に関しても同様とする。
【００４６】
すなわち、図２に示されるように、本実施形態のエンジンマウントは、内筒金具１０が円筒形状を呈し、その外周面が、軸方向の全長に亘って同一の外径とされたストレートの円筒面とされている。また、本体ゴム弾性体１４の小径側端面３０には、ゴム突条（３２）が何等設けられておらず、小径側端面３０の全体が平坦な円環面とされている。そして、この小径側端面３０が、内筒金具１０の上端面と略面一の高さ位置となるように配置されている。
【００４７】
エンジン側ブラケット３８の取付部４２の当接面４８は、平坦な円環面とされており、ここでは、その内径が、内筒金具１０の内径と略同一の大きさとされ、その外径が、本体ゴム弾性体１４の小径側端面３０の外径よりも所定寸法だけ大きくされている。
【００４８】
また、そのような当接面４８の外周部には、筒状突起６０が一体形成されている。この筒状突起６０は、全体として、高さの低い円筒形状を呈しており、その内径が、本体ゴム弾性体１４の小径側端面３０の外径よりも僅かに大きくされており、その高さが、本体ゴム弾性体１４の小径側端部の高さに略相当する寸法とされている。
【００４９】
そして、本実施形態のエンジンマウントにおいては、エンジン側ブラケット３８の取付部４２が、当接面４８の内周部を内筒金具１０の上端面に当接させて、内筒金具１０の上端部に、取付ボルト５４にて取り付けられている。また、そのような取付状態下で、本体ゴム弾性体１４の小径側端部が、当接面４８の外周部に設けられた筒状突起６０にて周りを取り囲まれて、配置されている。更に、かかる状態において、本体ゴム弾性体１４の小径側端面３０が、取付部４２の当接面４８にて、何等押圧されることなく、当接面４８の外周部に対して、所謂ゼロタッチで接触している。即ち、前記実施形態とは異なって、ここでは、本体ゴム弾性体１４の小径側端部が予備圧縮されていないのである。
【００５０】
このような構造とされた本実施形態のエンジンマウントにあっては、上下方向の振動荷重が入力されて、エンジン側ブラケット３８が、内筒金具１０と共に、外筒金具１２に対して下方に相対移動して、本体ゴム弾性体１４の小径側端部が、エンジン側ブラケット３８の取付部４２の当接面４８にて下方に押圧された際に、かかる小径側端部の外周面が、取付部４２の筒状突起６０の内周面と接触する。それによって、小径側端部が、径方向外方に膨出するように弾性変形することが、有利に防止される。その結果、当接面４８からの圧縮荷重が、本体ゴム弾性体１４に対して、ロス無く、極めて確実に及ぼされるようになる。このことから明らかなように、本実施形態では、筒状突起６０にて規制手段が構成されている。
【００５１】
それ故、本実施形態のエンジンマウントにおいては、単純な円筒形状を呈する内筒金具１０の採用により、内筒金具１０の製作コストの低減と製作工程の簡略化を十分に図りつつ、本体ゴム弾性体１４において、剪断変形に基づくばね特性と、圧縮変形に基づくばね特性の両方が、極めて安定的に且つ効果的に発揮され得る。
【００５２】
従って、本実施形態のエンジンマウントにあっても、前記第一の実施形態において奏される作用・効果と実質的に同一の作用・効果が、有効に享受され得る。
【００５３】
次に、図３には、前記第一及び第二の実施形態とは異なる構造を有する更に別の実施形態が示されている。本実施形態のエンジンマウントは、エンジン側ブラケット３８が内筒金具１０の下端部に取り付けられて、エンジンを吊り下げた状態で支持する、所謂吊り下げタイプのものである。
【００５４】
より詳細には、図３に示されるように、本実施形態のエンジンマウントでは、内筒金具１０が、円筒形状を呈し、その外周面が、軸方向の全長に亘って同一の外径とされたストレートの円筒面とされている。また、この内筒金具１０の内周面には、雌ネジ６２が刻設されている。
【００５５】
エンジン側ブラケット３８は、略厚肉の金属円板からなっている。そして、その中心部から径方向一方側に所定寸法だけ偏倚した部位に、ボルト挿通孔６４が形成されている。また、エンジン側ブラケット３８の中心から径方向他方側に所定寸法だけ偏倚した部位には、固定ボルト６６が、下方に向かって一体的に立設されている。
【００５６】
そして、このようなエンジン側ブラケット３８が、その上端面において、内筒金具１０の下端面に重ね合わされた状態で、ボルト挿通孔６４に挿通された取付ボルト５４が、内筒金具１０の内孔に形成された雌ネジ６２に螺合されることにより、内筒金具１０の下端部に対して、内筒金具１０と一体移動可能に取り付けられている。また、かかるエンジン側ブラケット３８の上端面には、円環板形状を呈するストッパゴム部６８が、内筒金具１０の周りに、周方向に延びるように固着されている。
【００５７】
一方、内筒金具１０の上端部には、剛性部材としてのストッパ金具４０が配置されている。このストッパ金具４０は、中心孔７０を備えた大径の略円環板形状を呈している。そして、中心孔７０に挿通された取付ボルト７２が、内筒金具１０の内孔内に上側開口部を通じて挿入されて、雌ネジ６２に螺合されることにより、ストッパ金具４０が、内筒金具１０の上端部に、径方向外方に広がるように配置された状態で、内筒金具１０と一体移動可能に取り付けられている。
【００５８】
また、そのようなストッパ金具４０の内筒金具１０への取付状態下では、ストッパ金具４０の内周部のうち、中心孔７０の周辺部分が、内筒金具１０の上端面に当接されている。そして、ストッパ金具４０の内周部のうち、内筒金具１０の上端面との当接部位の周りを位置して周方向に延びる部分が、内筒金具１０の径方向外方に広がる当接面４８とされている。
【００５９】
外筒金具１２は、略薄肉の円筒形状を有して、内筒金具１０の周りに、径方向外方に所定間隔を隔てて同軸的に配置されている。この外筒金具１２においては、その上側部分が、円筒部２０とされている一方、下側部分が、上方に向かって次第に大径化するテーパ筒部１６とされている。円筒部２０の上端部には、円環板状の外フランジ部１８が一体的に周設されている。また、ここでは、かかる外筒金具１２が、円筒部２０において、外筒金具１２よりも厚肉で略円筒状を呈する取付用筒金具７４内に圧入固定されている。この取付用筒金具７４の下端部には、円環板状の内フランジ部７６が、一体的に周設されている。かかる内フランジ部７６は、内筒金具１０の下端部に取り付けられたエンジン側ブラケット３８に固着されたストッパゴム部６８に対して、上下方向に所定距離を隔てて対向配置されている。
【００６０】
そして、本体ゴム弾性体１４の小径側端部の内周面に対して、内筒金具１０の上端部が、その外周面において加硫接着されている一方、本体ゴム弾性体１４の大径側端部の外周面に対して、外筒金具１２のテーパ筒部１６が、その内周面において加硫接着されている。また、外筒金具１２の外フランジ部１８の上面上には、本体ゴム部弾性体１４に一体形成されたストッパゴム部２８が固着されている。このストッパゴム部２８は、内筒金具１０の上端部に取り付けられたストッパ金具４０の外周面に対して、上下方向に所定距離を隔てて対向配置されている。
【００６１】
本実施形態のエンジンマウントにあっても、前記第一の実施形態と同様に、本体ゴム弾性体１４の小径側端面３０の外周部に、円筒状乃至は円環状のゴム突条３２が一体形成されている。このゴム突条３２は、図３に二点鎖線で示されるように、その上端側部分が、内筒金具１０の上端面よりも上方に突出している。また、小径側端面３０の内周部には、ゴム突条３２の内周面を内筒金具１０の上端部の外周面と離間させる環状の隙間３６が形成されている。そして、ストッパ金具４０の内筒金具１０の上端部への取付状態下で、ゴム突条３２が、ストッパ金具４０の当接面４８にて、内筒金具１０の上端面よりも上方に突出した寸法分だけ下方に押圧されている。これにより、ゴム突条３２が、環状の隙間３６を埋めるように径方向に膨らんで、予備圧縮されているのである。
【００６２】
このうような構造とされたエンジンマウントは、エンジン側ブラケット３８が、それに立設された固定ボルト６６にて、エンジンに固定される一方、外筒金具１２に固定された取付用筒金具７４が、ボデー側ブラケット５６の円筒状取付部５８に圧入される等して、ボデー側ブラケット５６に固定されている。これによって、エンジンマウントが、エンジンとボデーとの間に介装され、エンジンを吊り下げた状態で、ボデーに対して防振支持させるようになっている。
【００６３】
このように、本実施形態のエンジンマウントにあっても、前記第一の実施形態と同様に、本体ゴム弾性体１４の小径側端面３０に一体的に突設されたゴム突条３２が予備圧縮されている。このため、上下方向の振動荷重が入力されて、本体ゴム弾性体１４の小径側端部が、ストッパ金具４０の当接面４８にて下方に押圧された際には、予備圧縮されたゴム突条３２が、径方向外方に膨出するように、弾性的に更に圧縮変形することが有利に防止される。また、ゴム突条３２が、その先端面（当接面４８に対する接触面）を当接面４８に対して摺動させながら、径方向外方に膨出するようなことも効果的に防止される。これによって、当接面４８からの圧縮荷重が、本体ゴム弾性体１４に対して、ロス無く、極めて確実に及ぼされるようになる。このことから明らかなように、本実施形態でも、ゴム突条３２にて規制手段が構成されている。
【００６４】
しかも、本実施形態のエンジンマウントにおいては、単純な円筒形状を呈する内筒金具１０の採用により、内筒金具１０の製作コストの低減と製作工程の簡略化が、効果的に図られている。
【００６５】
従って、かくの如き本実施形態のエンジンマウントにあっても、本体ゴム弾性体１４の剪断方向と圧縮方向の両方向の弾性変形による高度な振動吸収作用に基づく優れた防振性能が、より低コストに確保され得る。そして、内筒金具１０の製作工程の簡略化によって、エンジンマウント全体の製作性の向上も、極めて効果的に図られ得ることとなるのである。
【００６６】
以上、本発明の具体的な構成について詳述してきたが、これはあくまでも例示に過ぎないのであって、本発明は、上記の記載によって、何等の制約をも受けるものではない。
【００６７】
例えば、本体ゴム弾性体１４の小径側端面３０に、当接面４８により下方に押圧されて予備圧縮されるゴム突条３２を設けると共に、当接面４８の外周部に対して、本体ゴム弾性体１４の小径側端部の周りを取り囲む筒状突起６０を形成しても良い。即ち、規制手段を、ゴム突条３２と筒状突起６０の両方にて構成することも可能である。
【００６８】
また、当接面が形成される剛性部材は、エンジン側ブラケット３８やストッパ金具４０に何等限定されるものではなく、本体ゴム弾性体の小径側端部の側に位置する、内筒部材の軸方向一端部に対して、内筒部材と一体移動可能に組み付けられる部材であって、且つ本体ゴム弾性体よりも高い剛性を有するものであれば、如何なるものであっても良い。
【００６９】
さらに、規制手段は、形成が可能であれば、外筒部材に設けても良い。
【００７０】
加えて、前記実施形態では、本発明を、自動車用のエンジンマウントに適用したものの具体例を示したが、本発明は、内外筒部材がテーパ筒状の本体ゴム弾性体にて連結されると共に、本体ゴム弾性体の小径側端部の側に位置する、内筒部材の軸方向一端部に剛性部材が一体的に組み付けられてなる、自動車用エンジンマウント以外の防振装置の何れに対しても、有利に適用され得るものであることは、勿論である。
【００７１】
その他、一々列挙はしないが、本発明は、当業者の知識に基づいて種々なる変更、修正、改良等を加えた態様において実施され得るものであり、また、そのような実施態様が、本発明の趣旨を逸脱しない限り、何れも、本発明の範囲内に含まれるものであることは、言うまでもないところである。
【符号の説明】
【００７２】
１０  内筒金具                        １２  外筒金具
１４  本体ゴム弾性体                  ３０  小径側端面
３２  ゴム突条                        ３４  段差部
３６  隙間                            ３８  エンジン側ブラケット
４０  ストッパ金具                    ４８  当接面
６０  筒状突起
【図１】
2012207761.tif 000003
【図２】
2012207761.tif 000004
【図３】
2012207761.tif 000005